(57)【要約】      （修正有）【課題】パネルが軟質性パネルであっても、パネルからの突出量を極力抑えつつ、パネルの取付け孔に対する保持力を高める孔用保持具を提供する。【解決手段】基板部５の裏面５ａに、支持面１０を有する支持台部６と、起倒動可能な回動板部１１と、係止片部１４と、を設け、回動板部１１の内面に、倒伏状態で係止片部１４と係合する係止片部１５を設ける。支持面１０と基板部裏面５ａとの間に長孔周縁部等２ａ，１ａを入れ込み、回動板部１１を倒伏させて係止片部１４と係止片部１５とを係合させることにより、支持台部６の支持面１０と基板部裏面５ａ、また、回動板部１１の先端側内面と基板部裏面５ａとが、長孔２の延び方向両側において、比較的長い部分を挟持させて挟持力を高める。挟持力を高めても（特に、回動板部１１の延び方向長さを延ばすこと）、回動板部１１の板厚が影響を受けず、デッキボード（パネル）１からの突出量を極力抑えられる。【選択図】図１
2011252580.tif 000002
【特許請求の範囲】
【請求項１】
パネルに形成された取付け孔に取付けるための孔用保持具であって、
前記パネルに一方の面を、該パネルの取付け孔を覆うようにしつつ当接させる基板部と、
前記基板部の一方の面上に突設され、少なくとも前記取付け孔の周縁部を該基板部の一方の面と協働して挟持する支持面を有する支持台部と、
前記基板部の一方の面上に、前記支持台部を基準として前記支持面の存在側とは反対側において起倒動可能に設けられ、該支持台部の支持面と該基板部の一方の面との間に少なくとも前記取付け孔周縁部が入れられた状態で該基板部の一方の面が前記パネルに当接されたとき、その先端側の倒伏領域に、前記取付け孔周縁部に対向する取付け孔周縁部が少なくとも臨む回動板部と、
前記基板部の一方の面又は前記回動板部の内面の少なくともいずれか一方に設けられ、該回動板部を倒伏させたとき、該回動板部と該基板部との間で係止関係が成立して該回動板部の倒伏状態を維持する係止片部と、
が備えられている、
ことを特徴とする孔用保持具。
【請求項２】
請求項１において、
前記回動板部の先端側内面のうち、前記取付け孔周縁部に対向する取付け孔周縁部に対して当接する当接領域が、該回動板部の先端側から基端側に向うに従って該回動板部の内面から離間するように傾斜されている、
ことを特徴とする孔用保持具。
【請求項３】
請求項１において、
前記基板部の一方の面に、ガイド部が突設され、
前記ガイド部が、前記支持台部の支持面と該基板部の一方の面との間に前記取付け孔周縁部を入れた状態で前記基板部の一方の面を前記パネルに当接させたとき、前記取付け孔内に進入して該取付け孔内周面に当接するように設定されている、
ことを特徴とする孔用保持具。
【請求項４】
請求項３において、
前記ガイド部のうち、前記取付け孔内周面に対する当接側部分に、該ガイド部の先端に向かうに従って前記支持台部側に近づくように傾斜する傾斜面が形成されている、
ことを特徴とする孔用保持具。
【請求項５】
請求項２〜４のいずれか１項において、
前記支持面が、前記基板部の一方の面から離れるに従って前記回動板部から離れるように傾斜する傾斜面を有している、
ことを特徴とする孔用保持具。
【請求項６】
請求項１において、
前記取付け孔が長孔とされる下で、
前記支持台部の基端部の幅方向長さが、前記基板部の一方の面に向かうに従って拡張されて、前記長孔の幅方向長さよりも長くされている、
ことを特徴とする孔用保持具。
【請求項７】
請求項１〜５のいずれか１項において、
前記支持台部に前記回動板部の基端部が回動可能に連結されている、
ことを特徴とする孔用保持具。
【請求項８】
請求項１〜７のいずれか１項において、
前記支持台部又は前記基板部の他方の面に、部材を保持するためのクリップ部が設けられている、
ことを特徴とする孔用保持具。
【発明の詳細な説明】
【技術分野】
【０００１】
本発明は、パネルの取付け孔に取付けるための孔用保持具に関する。
【背景技術】
【０００２】
パネルの取付け孔に取付けるための孔用保持具としては、特許文献１に示すように、基板部の裏面から複数の係止片部（符号２Ｂ，２Ｃに相当するものであって、基本的に、脚部とその先端側に設けられる爪部とにより構成されるもの）を起立させたものが一般的に知られている。このものにおいては、組付けに際して、各係止片部の爪部を、パネルの取付け孔に貫通させた状態で、その取付け孔周縁部に係止させ、その各係止片部の爪部（係止面）と基板部とで取付け孔周縁部を挟持することが行われる。
【０００３】
この場合、各係止片部においては、係止面よりも先端側の爪部表面（取付け孔挿入時に、その取付け孔周縁部及び内周面と当接する面）には、案内面として傾斜面が形成されており、当該孔用保持具をパネルに取付けるに際して、係止片部をパネルの取付け孔に挿入をすれば、爪部表面の傾斜面が、先ず、取付け孔周縁部に当接して係止片部（脚部）を撓ませ、その後、その傾斜面と取付け孔周縁部との当接関係が解除される状態に至ると、係止片部（脚部）が復帰して、爪部の係止面が取付け孔周縁部に係止され、係止片部の爪部と基板部とは取付け孔周縁部を挟持する。
【０００４】
ところで、パネルが軟質性の場合、係止片部だけでなく、パネルもある程度撓むことから、パネルが撓む場合には、係止片部の爪部の爪返り、係止片部の脚部の反り等を通じて、パネルの取付け孔周縁部に対する係止片部の爪部の係止が解除されるおそれがある。このため、係止片部の爪部と基板部とにより軟質性パネルの取付け孔周縁部を挟持するときには、その挟持力を高めるために、爪部の係止面を取付け孔周縁から径方向外方に延ばして、爪部の係止面とパネルとの当接面積を大きくすることが行われる。
【先行技術文献】
【特許文献】
【０００５】
【特許文献１】特開２０００−３４３９４２号公報
【発明の概要】
【発明が解決しようとする課題】
【０００６】
しかし、軟質性パネルの撓みを考慮して、上述の如く挟持力を高めた場合には、爪部の係止面を取付け孔周縁から径方向外方に延ばすに伴い、爪部全体の大きさも大きくなり、その係止片部の爪部は、その爪部と基板部とにより取付け孔周縁部を挟持するとき、そのパネルから大きく突出する。このため、その爪部の比較的大きな突出量が見栄え等を害することになる。
【０００７】
本発明は以上のような事情を勘案してなされたもので、その技術的課題は、取付け対象であるパネルが軟質性パネルであっても、そのパネルからの突出量を極力抑えつつ、そのパネルの取付け孔に対する保持力を高めることができる孔用保持具を提供することにある。
【課題を解決するための手段】
【０００８】
前記技術的課題を達成するために本発明（請求項１に係る発明）にあっては、
パネルに形成された取付け孔に取付けるための孔用保持具であって、
前記パネルに一方の面を、該パネルの取付け孔を覆うようにしつつ当接させる基板部と、
前記基板部の一方の面上に突設され、少なくとも前記取付け孔の周縁部を該基板部の一方の面と協働して挟持する支持面を有する支持台部と、
前記基板部の一方の面上に、前記支持台部を基準として前記支持面の存在側とは反対側において起倒動可能に設けられ、該支持台部の支持面と該基板部の一方の面との間に少なくとも前記取付け孔周縁部が入れられた状態で該基板部の一方の面が前記パネルに当接されたとき、その先端側の倒伏領域に、前記取付け孔周縁部に対向する取付け孔周縁部が少なくとも臨む回動板部と、
前記基板部の一方の面又は前記回動板部の内面の少なくともいずれか一方に設けられ、該回動板部を倒伏させたとき、該回動板部と該基板部との間で係止関係が成立して該回動板部の倒伏状態を維持する係止片部と、
が備えられている構成とされている。この請求項１の好ましい態様としては、請求項２以下の記載の通りとなる。
【発明の効果】
【０００９】
本発明（請求項１に係る発明）によれば、支持台部の支持面と基板部の一方の面との間に少なくとも取付け孔周縁部を入れた状態にすると共に該基板部の一方の面をパネルに当接した上で、回動板部を倒伏させ、回動板部と基板部との間で係止片部により係止関係を成立させれば、支持台部の支持面と基板部の一方の面、また、回動板部の先端側内面と基板部の一方の面とが、少なくとも、取付け孔周縁部、その取付け孔周縁部に対向する取付け孔周縁部をそれぞれ挟持する構成であることから、回動板部の延び方向長さを延ばして回動板部の先端側内面とパネルとの当接面積を増大させることにより（比較的長い部分を挟持することにより）、簡単に当該孔用保持具の挟持力（保持力）を高めることができる。
しかもこの場合、その挟持力を高めるために回動板部の延び方向長さを延ばして回動板部の先端側内面とパネルとの当接面積を増大させるとしても、その回動板部の板厚が影響を受けることはなく、その回動板部の板厚を薄板状の下で一定に維持できる。このため、パネルに対する当該孔用保持具の保持時には、比較的薄い回動板部の厚み分だけが、パネルから突出することになり、案内機能、係止力確保のために比較的大きくならざるを得ない爪部を有する係止片部を用いる場合に比べて、パネルから突出する突出量を少なくすることができる。
勿論この場合、支持台部に関しては、ある程度の剛性のある支持台部の支持面と基板部の一方の面との間に、最初に取付け孔周縁部を入れ込んで挟持する構成となることから、支持台部の支持面と基板部の一方の面とにより取付け孔周縁部を強固に挟持できると共に、支持台部の突出量を、回動板部と基板部とでパネルを挟持したときの厚さ以下に抑えることができる。
したがって、パネルが軟質性パネルであっても、そのパネルからの突出量を極力抑えつつ、そのパネルの取付け孔に対する当該孔用保持具の保持力を高めることができる。
【００１０】
請求項２に係る発明によれば、回動板部の先端側内面のうち、取付け孔周縁部に対向する取付け孔周縁部に対して当接する当接領域が、回動板部の先端側から基端側に向うに従って回動板部の内面から離間するように傾斜されていることから、回動板部を倒伏させたときには（基板部と回動板部とで係止関係が成立したとき）、その傾斜面が、相対的に支持台部により移動規制を受ける取付け孔周縁部に対向する取付け孔周縁部を押し潰し、当該孔用保持具はその反力を受けることになる。このため、その反力に基づき、パネルの面に沿う方向においては、支持台部が取付け孔周縁部に向けて押し付けられ、パネルの板厚方向においては、基板部の一方の面がパネルに向けて押し付けられることになり、当該孔用保持具がパネルの面に沿う方向及び板厚方向においてがたつくことを抑制できる。
【００１１】
請求項３に係る発明によれば、基板部の一方の面にガイド部が突設され、ガイド部が、支持台部の支持面と基板部の一方の面との間に取付け孔周縁部を入れた状態で基板部の一方の面をパネルに当接させたときには、取付け孔内に進入して該取付け孔内周面に当接するように設定されていることから、基板部の組付け作業を容易にできるだけでなく、基板部をガイド部と支持台部とにより移動することを規制することに基づき、基板部の組付け後の組付け作業の容易化を図ることができる。
また、基板部の一方の面をパネルに当接させるとき、取付け孔周縁部を支持台部で支えた状態で、ガイド部が取付け孔内周面に当接させつつ該取付け孔内に進入（圧入）することになり、そのガイド部の取付け孔内への進入に伴い、ガイド部は取付け孔内周面を押し潰し、当該孔用保持具はその反力を受ける。このため、その反力に基づき、パネルの面に沿う方向において、支持台部が取付け孔周縁部に向けて押し付けられ、組付け後において、当該孔用保持具がパネルの面に沿う方向にがたつくことを抑制できる。
【００１２】
請求項４に係る発明によれば、ガイド部のうち、取付け孔内周面に対する当接側部分に、ガイド部の先端に向かうに従って支持台部側に近づくように傾斜する傾斜面が形成されていることから、取付け孔に対するガイド部の進入を容易にできるだけでなく、取付け孔に誤差寸法が生じている場合であっても、その取付け孔にガイド部と支持台部とを的確に嵌合させて、組付け作業の容易化を図ることができる。
【００１３】
請求項５に係る発明によれば、支持面が、基板部の一方の面から離れるに従って回動板部から離れるように傾斜する傾斜面を有していることから、回動板部の傾斜面又はガイド部の組付け時の作用に基づき支持面における傾斜面が取付け孔周縁部に向けて押圧されたときには、支持面の傾斜面が取付け孔周縁部を押し潰すことになり、その結果、支持面の傾斜面によっても反力が生じることになる。このため、組付け後において、一層、当該孔用保持具がパネルの面に沿う方向及びパネルの板厚方向にがたつくことを抑制できる。
【００１４】
請求項６に係る発明によれば、取付け孔が長孔とされる下で、支持台部の基端部の幅方向長さが、基板部の一方の面に向かうに従って拡張されて、長孔の幅方向長さよりも長くされていることから、支持台部の支持面と基板部の一方の面とによって取付け孔周縁部等を挟持する際に、支持台部基端部によって、長孔の周縁部のうち、幅方向外方側部分を押し潰すことができることになり、その反力に基づき当該孔用保持具が長孔の幅方向にがたつくことを抑制できる。
【００１５】
請求項７に係る発明によれば、支持台部に回動板部の基端部が回動可能に連結されていることから、パネルの板厚を考慮して、該パネルの面に沿うように回動板部を配設することができ、見栄え等を向上させることができる。また、回動板部をパネルの面に沿うように配設できることから、パネルが撓んだときに係止片部を効果的に支えて、回動板部の先端側内面と基板部の一方の面とによる挟持構造を強固に維持できる。
【００１６】
請求項８に係る発明によれば、支持台部又は基板部の他方の面に、部材を保持するためのクリップ部が設けられていることから、当該孔用保持具を用いることにより、工具等の部材をパネルに的確に保持できる。
【図面の簡単な説明】
【００１７】
【図１】デッキボードに保持される実施形態に係る孔用保持具を説明する説明図。
【図２】実施形態に係る孔用保持具をクリップ部側から示す斜視図。
【図３】実施形態に孔用保持具を回動板部側から示す斜視図。
【図４】実施形態に係る孔用保持具を示す平面図。
【図５】図４の右側面図
【図６】図４の底面図。
【図７】実施形態に係る孔用保持具の組付けを説明する説明図。
【図８】図７の続きの組付けを説明する説明図。
【図９】図８の続きの組付けを説明する説明図。
【図１０】図９の続きの組付けを説明する説明図。
【図１１】図１０の続きの組付けを説明する説明図。
【図１２】図１１の続きの組付けを説明する説明図。
【図１３】図１０，図１２のＡ部分を説明する拡大説明図。
【図１４】長孔に対して実施形態に係る孔用保持具の支持台部が嵌合された状態を説明する説明図。
【図１５】図１２のＢ部分を説明する拡大説明図。
【発明を実施するための形態】
【００１８】
以下、本発明の実施形態について、図面に基づいて説明する。
図１，図２において、符号１は、軟質性パネルであるデッキボードであり、そのデッキボード１には、取付け孔として長孔２が形成されている。長孔２には、樹脂を用いて一体成形された実施形態に係る孔用保持具３（以下、保持具という）が保持されており、この保持具３（複数の保持具３）を介してジャッキハンドル等の工具４がデッキボード１に保持される。
【００１９】
前記保持具３は、図１〜図６に示すように、基板部５を備えている。基板部５は、比較的薄目の帯板として形成されており、その幅方向（図４中、上下方向）長さは、長孔２の幅方向長さよりも長く、その延び方向（図４中、左右方向）長さは長孔２の延び方向長さよりも長くなっている。この基板部５は、その一方の面としての裏面５ａがデッキボード１に対する当接面とされており、その基板部５の裏面５ａのうち、周回り部分が、前記長孔２の周縁部等に当接する当接部５ｂとなる。
【００２０】
前記基板部５の裏面５ａには、図１〜図３，図５，図６に示すように、その基板部５の延び方向一方側（図６中、右側）において、支持台部６が一体的に設けられている。支持台部６は、基板部５の幅方向において、その幅方向両側における前記当接部５ｂ間を跨ぐように延びると共に、その基板部５の延び方向において、一定長さを有するようにされている。そして、この支持台部６は、その基部が、基板部５の裏面５ａからデッキボード１の板厚よりもはやや短い長さだけ突出された形状とされ、その基部に連続する先端側部分が基板部５の延び方向一方側に多少、ずらされた形状とされている。この支持台部６の先端側部分にはクリップ部７が一体的に設けられている。このクリップ部７は、拡縮可能な一対の把持部８と、支持台部６の先端側部分から連続して延びて一対の把持部８を支える連結部９と、を有しており、一対の把持部８にジャッキハンドル等の工具４を押し込むことにより、その工具４は嵌合保持される。尚、本実施形態においては、クリップ部７の連結部９と支持台部（基部及び先端側部分）６とは、連続的に形成されて、一体の脚部形状を形成している。
【００２１】
前記支持台部６には、図１〜図３，図５に示すように、その基部と先端側部分との形状を利用して、基板部５の延び方向一方側において、支持面１０が形成されている。支持面１０は、基板部５の裏面５ａから離れるに従って基板部５の延び方向一方側外方に向かうように傾斜されており、この支持面１０と基板部５の裏面５ａとの間に、長孔２の延び方向一方側周縁部２ａ及びその周縁部２ａからさらに外方（長孔２の延び方向外方）のデッキボード部分１ａが入り込むことができることになっている。尚、図２においては、支持面１０を把握し易くするため、その支持面１０の該当個所に微細なドット模様が付されている。
【００２２】
前記支持台部６には、図１〜図３，図５，図６に示すように、帯板状の回動板部１１が起倒動可能に連結されている。回動板部１１は、前記クリップ部７（又は支持面１０）よりも基板部５の延び方向他方側（図１中、左側）に配置されており、その回動板部１１の基端部は、ヒンジ部１２を介して支持台部６（基部と先端側部分との段差部）に連結されている。これにより、回動板部１１は、その起倒動により、基板部５の裏面５ａに接近、離間することになり、回動板部１１が倒伏状態になったときには、回動板部１１は、基板部５と略平行状態となって、基板部５の延び方向と同方向に延びた状態となる。また、回動板部１１は、支持台部６の支持面１０と基板部５の裏面５ａとが長孔２の延び方向一方側周縁部２ａ及びそれからさらに外方のデッキボード部分１ａを挟持しているとき、その回動板部１１の先端側の倒伏領域に、長孔２の延び方向他方側（図１中、左側）の周縁部２ｂ及びそれからさらに外方のデッキボード部分１ｂ（図２参照）が臨むことになっており、回動板部１１が倒伏状態になったときには、その回動版部１１の先端側内面は、上記部分２ｂ，１ｂに当接することになる。
【００２３】
前記基板部５の裏面５ａには、図１，図６に示すように、前記支持台部６よりも基板部５の延び方向他方側において、板状のガイド部１３が起立されている。ガイド部１３は、その肉厚方向を基板部５の幅方向に向けつつ、基板部５の幅方向両側の当接部５ｂ間に位置されており、支持台部６の支持面１０と基板部５の裏面５ａとが長孔２の周縁部等２ａ，１ａを挟持している状態で基板部５の裏面５ａがデッキボード１に当接されたときには、案内機能を発揮して、ガイド部１３（基板部５の延び方向他方側面）が長孔２の延び方向他方側の内周面に当接（圧接）することになっている。本実施形態においては、円滑な案内機能、長孔２の延び方向における誤差等に対する対応を考慮し、ガイド部１３のうち、長孔２内周面に対する当接側部分に傾斜面１３ａが形成され、その傾斜面１３ａは、ガイド部１３の先端に向かうに従って支持台部６側に近づくように傾斜されている。
【００２４】
前記基板部５の裏面５ａには、図１〜図３に示すように、前記回動板部１１の倒伏領域において、係止片部１４が設けられている。この係止片部１４は、基板部５の延び方向他方側から前記ガイド部１３に支えられつつ（接合状態）、基板部５の幅方向両側における当接部５ｂ間を跨ぐように配設されており、その係止片部１４は、支持台部６の支持面１０と基板部５の裏面５ａとが長孔２の周縁部等２ａ，１ａを挟持している状態で基板部５の裏面５ａがデッキボード１に当接されたときには、長孔２内に進入することになっている。
【００２５】
前記回動板部１１の内面にも、図１〜図３に示すように、係止片部１５が設けられている。この係止片部１５は、回動板部１１を基板部５に向けて倒伏させたときに、前記係止片部１４に係合して、回動板部１１の起立動を規制することになっており、そのときには、回動板部１１と基板部５とは、対向した状態で略平行な配置関係となる。
【００２６】
前記回動板部１１の先端側内面には、図１〜図３に示すように、突部１６が設けられている。突部１６は、傾斜面１６ａを有しており、その傾斜面１６ａは、回動板部１１の先端側から基端側に向うに従って該回動板部１１の内面から離間するように傾斜されている。この傾斜面１６ａについては、把握し易くするため、図３において、その傾斜面１６ａの該当個所に微細なドット模様が付されている。
尚、符号１７は誤組付防止用リブであり、その誤組付防止用リブ１７は、正規の取付け状態のとき、デッキボード１の所定の孔（図示略）に挿入された状態となる。
【００２７】
次に、デッキボード１に対する保持具３の組付けについて説明する。
先ず、図７に示すように、回動板部１１を起立させてクリップ部７に当接させた状態とする。その上で、図８に示すように、回動板部１１及びクリップ部７を長孔２に通し、基板部裏面５ａの延び方向一方側部分と支持面１０との間に、長孔２の延び方向一方側周縁部２ａ及びそれよりも外方のデッキボード１ａ部分を入れる。そして、その状態で、図９の矢印で示すように、基板部５の延び方向他方側をデッキボード１に当接する方向に回動させる。
【００２８】
これに伴い、ガイド部１３は、そのガイド部１３の傾斜面１３ａに基づく案内機能を利用して、長孔２内に該長孔２における延び方向他方側内周面に当接しつつ入り込むことになり、基板部５は、その延び方向一方側外方に向けて移動され、支持面（傾斜面）１０は、図１３に示すように、デッキボード１における一方の面１Ａ側の長孔２の周縁部２ａＡを押し潰す。図１３中、黒塗部分（周縁部２ａＡと同符号を用いる）は、支持面１０により押し潰される部分を示す。この結果、図１０に示すように、長孔２の周縁部２ａＡの押し潰しに基づく反力が生じ、その反力に基づき、基板部５が長孔２の延び方向他方側（図１０中、左側）に押し戻されると共に基板部５の裏面５ａがデッキボード１に向けて押し付けられる（図１０中の矢印参照）。
このとき、基板部裏面５ａの延び方向一方側部分と支持面１０とは、長孔２の延び方向一方側周縁部２ａ及びそれよりもさらに外方のデッキ部分１ａを挟持する。また、ガイド部１３は、長孔２内への進入に伴い、長孔２における延び方向他方側内周面を多少、押し潰す。
【００２９】
またこのとき、支持台部６の基端部６ａが、図１４に示すように、長孔２の幅方向両側内周面に対して圧入されることになり、長孔２内周縁部のうち、支持台部６の幅方向両側部分２ｃとの当接部分は、押し潰される。図１４中、黒塗部分（長孔２内周縁部のうち、支持台部６の幅方向両側部分２ｃと同符号を用いる）が、支持台部６の基端部により押し潰される部分を示す。これにより、このデッキボード１の押し潰しに基づく反力が生じ、その反力に基づき、基板部５は、長孔２の幅方向（図１４中、矢印方向）にがたつくことなく保持される。
【００３０】
これにより、基板部５は、デッキボード１に対してがたつくことなく保持されたことになる。勿論このとき、誤組付防止用リブは、デッキボード１の所定の孔に挿入される。
【００３１】
次に、図１１，図１２に示すように、回動板部１１を倒伏動させ、基板部５の係止片部１４と回動板部１１の係止片部１５とを係止させる。これにより、以後、回動板部１１は、図１２に示すように、その起立動が規制され、回動板部１１の先端部と基板部裏面５ａの延び方向他方側部分とは、長孔２の周縁部２ｂ及びそれよりも外方のデッキボード部分１ｂ（図２参照）を挟持する。勿論このとき、支持台部６の支持面１０と基板部裏面５ａとは、長孔２の周縁部２ａ及びそれよりも外方のデッキボード部分１ａを挟持している。
【００３２】
これにより、支持台部６の支持面１０と基板部裏面５ａの延び方向一方側部分、回動板部１１の先端側内面と基板部裏面５ａの延び方向一方側部分とが、長孔２の延び方向において、比較的長い部分（長孔２の周縁部２ａ及びそれよりも外方のデッキボード部分１ａ、長孔２の周縁部２ｂ及びそれよりも外方のデッキボード部分１ｂ）をそれぞれ挟持することになり、デッキボード１の撓みに対しても、十分に対応できる挟持力（保持力）が確保されることになる。このため、デッキボード１が撓むものであっても、そのデッキボード１の長孔２に対する保持具３の保持力を高めることができる。
【００３３】
この場合、回動板部１１に関しては、挟持力を高めるために、回動板部１１の延び方向長さを延ばしてその回動板部１１の先端側内面とデッキボード１との当接面積を増大させることになるが、この際、回動板部１１の延び方向長さを延ばすことに伴って、その回動板部１１の板厚が影響を受けることはなく、その回動板部１１の板厚を薄板状で一定に維持できる。このため、挟持力を高める場合であっても、図１２に示すように、デッキボード１に対する当該保持具３の保持時には、比較的薄い回動板部１１の厚みｈ１分だけが、デッキボード１から突出することになり、案内機能、係止力確保のために比較的大きくならざるを得ない爪部を有する係止片部を用いる場合（特許文献１図５（Ｃ）の符号２Ｂ，２Ｃ参照）に比べて、デッキボード１から突出する突出量を少なくすることができる。
支持台部６に関しては、その支持面１０と基板部裏面５ａとの間に、最初に長孔周縁部２ａ等を入れ込んで挟持する構成となっていることから、支持台部６の突出量を、回動板部１１と基板部５とでデッキボード１を挟持したときの厚みｈ１ないしはそれ以下に厚みに抑えることができる。
【００３４】
またこの場合、係止関係にある係止片部１４及び１５を、支持台部６（基板部５）に連結された回動板部１１が支えており、デッキボード１が撓んで、係止関係にある係止片部１４及び１５を撓ませようとしても、それが規制される。このため、係止片部を用いて長孔２周縁部を係止する場合とは異なり、回動板部１１の先端側とデッキボード１とによる挟持状態は、このことによっても、強固に維持される。
【００３５】
またこの際、回動板部１１の傾斜面１６ａは、図１５に示すように、デッキボード１における一方の面１Ａ側の長孔２の延び方向他方側周縁部２ｂＡを押し潰す。図１５中、黒塗部分（デッキボード１における一方の面１Ａ側の長孔２の延び方向他方側周縁部２ｂＡと同一符号を用いる）が、回動板部１１の傾斜面１６ａ及びそれよりも先端側内面により押し潰される部分を示す。これにより、長孔２の延び方向他方側周縁部２ｂＡの押し潰しに基づく反力が生じ、その反力に基づき、基板部５が長孔２の延び方向一方側（図１５中、右側）に押し戻されると共に基板部５の裏面５ａがデッキボード１に押し付けられる（図１５中の矢印参照）。この結果、この回動板部１１の傾斜面１６ａに基づく機能と前述の支持面１０に基づく機能（基板部５の保持機能）とにより、保持具３は、一層、長孔２の延び方向及びデッキボード１の肉厚方向にがたつくことが規制される。
【００３６】
勿論この場合、回動板部１１の傾斜面１６ａ及び支持面１０が傾斜面であることから、デッキボード１の厚みにある程度誤差があるとしても、その傾斜面１６ａ，１０に長孔周縁部２ａ，２ｂを当接させることができ、傾斜面１６ａと基板部裏面５ａ、また、傾斜面１０と基板部裏面５ａとにより、デッキボード１の長孔周縁部２ａ，２ｂ等を的確に挟持することができる。これにより、デッキボード１の厚みに誤差がある場合でも、保持具３をがたつかせることなく強固にデッキボード１に保持できることになる。
【００３７】
このようにして、保持具３がデッキボード１に保持されると、以後、そのクリップ部７にジャッキハンドル等の工具４等を把持させる。これにより、その工具４等は、デッキボード１に保持されることになる。
【００３８】
したがって、本実施形態においては、支持台部６の支持面１０と基板部裏面５ａの延び方向一方側部分、回動板部１１の先端側内面と基板部裏面５ａの延び方向一方側部分とが、長孔２の延び方向において、比較的長い部分をそれぞれ挟持することになり、デッキボード１が撓むものであっても、そのデッキボード１の長孔２に対する保持具３の保持力を高めることができる。
しかもこの場合、回動板部１１に関しては、挟持力を高めるために、回動板部１１の延び方向長さを延ばしてその回動板部１１の先端側内面とデッキボード１との当接面積を増大させたとしても、それによる影響は受けず、回動板部１１の板厚を薄板状の下で一定に維持できる。このため、デッキボード１から突出する突出量を少なくすることができる。
【００３９】
以上実施形態について説明したが本発明にあっては、次の態様を包含する。
（１）当該保持具３からクリップ部７等を省いて、盲蓋として用いること。
（２）クリップ部７を基板部５の表面側に設けること。
（３）係止片部１４，１５のうちの一方だけを設け、その係止片部を相手方部材（回動板部１１又は基板部５）に直接、係止すること。
（４）実施形態に示す如く、支持面１０全体を傾斜面とする態様の他、基板部５の裏面５ａとその裏面５ａに平行な支持面１０との間に、傾斜面を形成するリブ等を設けて、基板部５の裏面５ａとその裏面５ａに平行な支持面１０との間に、支持面１０の一部を構成する傾斜面を形成すること。これにより、この傾斜面（支持面１０の一部）によっても、前記実施形態に係る支持面１０同様、長孔周縁部２ａを押し潰すことができる。
（５）基板部裏面５ａに、その幅方向両側の当接部５ｂ間においてガイド部１３を跨るように設けて、長孔２の延び方向他方側周縁部２ｂに対するそのガイド部１３の当接側部分全体（基端から先端まで）を傾斜面１３ａとして形成し、ガイド部１３が長孔２内に進入したとき、そのガイド部１３の傾斜面１３ａにより、長孔２の延び方向他方側周縁部２ｂを押し潰して反力を得るようにすること。
【符号の説明】
【００４０】
１  デッキボード（パネル）
１ａ  デッキボード部分（パネル部分）
１ｂ  デッキボード部分（パネル部分）
２  長孔（取付け孔）
２ａ  長孔の延び方向一方側周縁部（取付け孔周縁部）
２ｂ  長孔の延び方向他方側周縁部（取付け孔周縁部に対向する取付け孔周縁部）
３  保持具
５  基板部
５ａ  基板部裏面
６  支持台部
７  クリップ部
１０  支持面
１１  回動板部
１３  ガイド部
１３ａ  ガイド部の傾斜面
１４  係止片部（係止片部）
１５  係止片部（係止片部）
１６ａ  突部の傾斜面
【図１】
2011252580.tif 000003
【図２】
2011252580.tif 000004
【図３】
2011252580.tif 000005
【図４】
2011252580.tif 000006
【図５】
2011252580.tif 000007
【図６】
2011252580.tif 000008
【図７】
2011252580.tif 000009
【図８】
2011252580.tif 000010
【図９】
2011252580.tif 000011
【図１０】
2011252580.tif 000012
【図１１】
2011252580.tif 000013
【図１２】
2011252580.tif 000014
【図１３】
2011252580.tif 000015
【図１４】
2011252580.tif 000016
【図１５】
2011252580.tif 000017